(57)【特許請求の範囲】
【請求項１】
ケーシングに平面状に配置された多数の発光素子、及びこの多数の発光素子の少なくとも一部の発光素子間に庇状に配置されたルーバーを備え、
上記ルーバーは、軟質樹脂で形成されるとともに上記ケーシングの発光素子配置面に垂直な断面形状が、上記ケーシング側が広く上記ケーシングの反対側が狭くなるような中空の台形状に形成されることを特徴とする表示装置。
【請求項２】
上記ルーバーの軟質樹脂は、デュロ硬度Ｄが４０〜６５の範囲の熱可塑性エラストマーであることを特徴とする請求項１記載の表示装置。
【請求項３】
上記ルーバーの上記ケーシングの反対側の表面を、上記発光素子配置面を垂直にした場合、この垂直平面に対して下方内側に傾斜させたことを特徴とする請求項１または請求項２記載の表示装置。
【請求項４】
上記ルーバーの垂直平面に対する傾斜角を１０〜４５度の範囲としたことを特徴とする請求項３記載の表示装置。
【請求項５】
上記ルーバーのケーシングの反対側の表面を梨地、シボ、凹凸面のいずれかに形成したことを特徴とする請求項３または請求項４記載の表示装置。
【発明の詳細な説明】
【技術分野】
【０００１】
この発明は、屋外または屋内に設置され、情報表示するための発光素子が庇状のルーバーによって保護された表示装置に関するものである。
【背景技術】
【０００２】
各種競技場やイベント会場などの屋外または屋内に設置され、競技結果の表示や競技映像などの情報提供を行うための映像を表示する表示装置では、発光素子への太陽または他の光源からの光の混入によるコントラストの悪化を防ぐためや、雨水を遮るために発光素子をルーバー（庇）によって保護するように構成されている。
従来のルーバーは、ポリカーボネートなどの硬質樹脂で成形製作されていたため、ボールが当たった場合に破損の恐れがあり、また、人がぶつかった場合は怪我をする恐れがあった。
特許文献１に示される従来の表示システムでは、遮光装置（ルーバー）の形状として、第１の構成要素（ポリカーボネート樹脂などのコア構成要素）を覆うように、第１の構成要素より低い反射率を有する第２の構成要素（アルミニウム粒子などの粒子を設けられた膜または箔、エラストマー、プラスチックなどの固体連続層）が設けられ、第２の構成要素は弾性であるか、柔軟であるように構成されている。
【０００３】
【特許文献１】特開２００７−１８８０８５号公報（第１０〜１５頁、図２）
【発明の開示】
【発明が解決しようとする課題】
【０００４】
発光素子を保護するルーバーとしては、発光素子への太陽または他の光源からの光を遮断するとともに、発光素子への雨水を遮るために発光素子より前方に張り出すように取付けられる必要がある。
また、表示の視認を妨げないよう、視野角の確保が必要で、このため適切な長さに調整されなければならない。
さらに、野球場などに設置された場合、ボールと衝突しても発光素子を保護するとともに、人が衝突したときに人を傷つけない柔軟性が求められる。
従来の硬質樹脂を用いたルーバーでは、ボールや人との衝突の際に破損や怪我などを発生させる問題があった。
特許文献１のものでは、表面の柔らかい部分が剥げていくと固い部分が露出するので、ボールとの衝突や人との衝突に問題が発生するようになる。また、二層に構成するので、コストが高くなるなどの問題があった。
【０００５】
この発明は、上述のような課題を解決するためになされたものであり、外部からの光によるコントラストの悪化を防ぐとともに、強い衝撃が与えられても発光素子を保護し、人との衝突でも人を傷つけないようなルーバーを有する表示装置を得ることを目的にしている。
【課題を解決するための手段】
【０００６】
この発明に係わる表示装置においては、ケーシングに平面状に配置された多数の発光素子、及びこの多数の発光素子の少なくとも一部の発光素子間に庇状に配置されたルーバーを備え、
ルーバーは、軟質樹脂で形成されるとともにケーシングの発光素子配置面に垂直な断面形状が、ケーシング側が広くケーシングの反対側が狭くなるような中空の台形状に形成されるものである。
【発明の効果】
【０００７】
この発明は、以上説明したように、ケーシングに平面状に配置された多数の発光素子、及びこの多数の発光素子の少なくとも一部の発光素子間に庇状に配置されたルーバーを備え、
ルーバーは、軟質樹脂で形成されるとともにケーシングの発光素子配置面に垂直な断面形状が、ケーシング側が広くケーシングの反対側が狭くなるような中空の台形状に形成されるので、衝撃に強くかつ、人を傷つけない表示装置とすることができる。
【発明を実施するための最良の形態】
【０００８】
実施の形態１．
図１は、この発明の実施の形態１による表示装置を示す断面構成図である。
図１において、表示装置は平面状に配置された多数の発光素子４を発光させることにより、映像を表示する。表示装置のケーシング１には、基板が取り付けられ、この基板に発光素子４が実装されている。ルーバー２は、発光素子４を保護するように設けられ、発光素子４の庇状になるように発光素子４の上部に配置され、２ｍｍ位のほぼ一定の厚みを有している。このルーバー２は、ケーシング側が広く、ケーシング１から遠ざかるにしたがって狭くなるような台形状の断面を有するとともに、台形状の内部には、ケーシング１との間に中空部３を有している。
ルーバー２により保護される発光素子３は、図では垂直方向に２つ示しているが、これに限らず、垂直方向に１つまたは３つ以上が保護されるように配置されていてもよい。要するに、少なくとも一部の発光素子間に設けられているものである。
また、ルーバー２の横方向（水平方向）は、連続していてもよく、また各発光素子４に対応するように間隔を有して分割されているものでもよい。ルーバー２の垂直方向は、図では、連続していて、一部がケーシング１に接触している。このため、図示しないが、発光素子４を取り付けるための穴をルーバー２に設けている。また、ルーバー２の垂直方向は、必ずしも連続している必要はない。
ルーバー２の材料は、ＴＰＥ（Ｔｈｅｒｍｏｐｌａｓｔｉｃ  Ｅｌａｓｔｏｍｅｒｓ：熱可塑性エラストマー）などの軟質樹脂であり、デュロ硬度Ｄで４０〜６５の範囲のものが適している。
発光素子４は、ＬＥＤ（ｌｉｇｈｔ−ｅｍｉｔｔｉｎｇ  ｄｉｏｄｅ）などにより形成されている。
【０００９】
次に、動作について説明する。
ルーバー２は、台形状に形成されているため、ボールなどの衝撃物が衝突したとき、ケーシング１に近づくほど広がっているので、衝撃力を分散させる効果がある。さらに、ルーバー２に中空部３を形成したので、この中空部３がクッションになり衝撃力の吸収が行われる。つまり、中空部３が歪な形になることにより、衝撃力の吸収が行われる。
また、人が衝突しても、軟質樹脂を用いているため、怪我をすることはない。
さらに、ルーバー２は、台形状に形成されているため、発光素子４を上方または下方から見る場合の視野角を確保することができる。
このように、軟質樹脂の使用と、台形の断面形状と、中空部の形成とにより、屋外及び屋内に設置される表示装置に用いられる、適切なルーバーとすることができる。
【００１０】
実施の形態１によれば、ルーバーを中空部を有する台形状の断面形状に形成することにより、衝撃に強くかつ、人を傷つけない表示装置とすることができる。
また、中空部を有するので、材料の低減を可能にし、安価に製造することができる。
【００１１】
実施の形態２．
図２は、この発明の実施の形態２による表示装置を示す断面構成図である。
図２において、１〜４は図１におけるものと同一のものである。先端部５はルーバー２の台形状のケーシング１の反対側の部分であり、ケーシング１の発光素子配置面を垂直としたとき、垂直面に対して下方内側に傾斜させている。
この先端部５の表面を梨地、シボ、凹凸面のいずれかに形成することもできる。
【００１２】
実施の形態２では、ルーバー２の先端部５を、ケーシング１の発光素子配置面を垂直としたとき、垂直面に対して下方内側に傾斜角θの傾斜を持たせている。このため、太陽光の反射を抑えることができ、コントラスト向上が図れる。
この傾斜角θとしては、１０〜４５度が適用範囲であり、とくに３０〜４５度の範囲が最適である。
また、先端部５の表面に梨地、シボ、凹凸面のいずれかの加工を施せば、さらに太陽光の反射を抑えることができるので、一層コントラストが向上する。
【００１３】
実施の形態２によれば、実施の形態１の効果に加えて、ルーバーの先端部を垂直面に対して傾斜させているので、太陽光の反射を抑えることができ、コントラスト向上が図れる。
また、先端部の表面に梨地、シボ、凹凸面の加工を施すことにより、さらに太陽光の反射を抑えることができ、一層コントラストを向上させることができる。
【図面の簡単な説明】
【００１４】
【図１】この発明の実施の形態１による表示装置を示す断面構成図である。
【図２】この発明の実施の形態２による表示装置を示す断面構成図である。
【符号の説明】
【００１５】
１  ケーシング
２  ルーバー
３  中空部
４  発光素子
５  先端部
【図１】
0005038949.tif 000002
【図２】
0005038949.tif 000003